(57)【特許請求の範囲】
【請求項１】
底板の前部に該底板に直交して立設する前板を有するシャーシと、該シャーシの前部を覆うように該シャーシに固定された合成樹脂製のフロントカバーと、前記シャーシの上部を覆うように該シャーシに着脱自在に配設されたトップカバーとを備えるケーシングであって、
前記トップカバーは該トップカバーの前部に下向きの折曲部と該折曲部から更に前方へ折曲されてなる折り返し爪とを有しており、該折り返し爪を前記前板に設けられた係止部に係脱させて前記トップカバーを前記シャーシに着脱させるケーシングのトップカバーの取り付け機構において、
上記係止部は、前記前板の立設板面に開穿された係止孔であり、該係止孔への前記トップカバーの前記折り返し爪の直交係止により、前記トップカバーの取り付けと共に前記シャーシのアース取りが行なわれて成ることを特徴とするケーシングのトップカバーの取り付け機構。
【請求項２】
底板の前部に該底板に直交して立設する前板を有するシャーシと、該シャーシの前部を覆うように該シャーシに固定された合成樹脂製のフロントカバーと、前記シャーシの上部を覆うように該シャーシに着脱自在に配設されたトップカバーとを備えるケーシングであって、
前記トップカバーは該トップカバーの前部に下向きの折曲部と該折曲部から更に前方へ折曲されてなる折り返し爪とを有しており、該折り返し爪を前記前板に設けられた係止部に係脱させて前記トップカバーを前記シャーシに着脱させるケーシングのトップカバーの取り付け機構において、
上記前板は前記トップカバーの折り返し爪が挿入される挿入孔を該前板の立設板面上部の係止部近傍に穿設して有し、前記係止部は前記前板の上部を前方に折曲してなる係止片であると共に、該係止片の裏面に突状の接点が設けられて成り、前記挿入孔から挿入される前記トップカバーの前記折り返し爪と前記係止片に設けられた接点との係止により、前記トップカバーの取り付けと共に前記シャーシのアース取りが行なわれることを特徴とするケーシングのトップカバーの取り付け機構。
【請求項３】
請求項１又は請求項２に記載のケーシングのトップカバーの取り付け機構を備える電子装置。
【発明の詳細な説明】
【０００１】
【発明の属する技術分野】
本発明は、ケーシングのトップカバーの取り付け機構に係り、特に、種々の電装部品が配設されたシャーシの上部を覆うトップカバーとフロントパネルの変形を防止すると共に、シャーシのアース取りを可能にしたケーシングのトップカバーの取り付け機構に関するものである。
【０００２】
【従来の技術】
種々の電装部品を内装している従来のケーシングのトップカバーの取り付け機構の一例を、図７により説明する。同図において、ケーシング１は導電性の金属材からなるシャーシ２と、該シャーシ２の前部を覆うようにシャーシに取り付けられた合成樹脂製のフロントカバー３と、上記シャーシ２の上部を覆うようにシャーシ２に取り付けられたトップカバー５とを有している。上記シャーシ２は、底板（図示せず）の近傍に立設された前板６を有しており、該前板６の上部は、上記カバー３と一体形成されている該カバー３の上板３ａにより覆われている。符号７で示すアースは、止め具９により前板６に固着されていて、その上端に設けられたばね部７ａはトップカバー５の裏面に圧接して上記シャーシ２のアース取りを行っている。
【０００３】
上記トップカバー５は、その先端部（図において左端部）の変形を防止するための下向きの折曲部５ａが設けられており、更に、トップカバー先端部の浮き上がりを防止するために上記折曲部５ａから前方に折り返し爪５ｂが一体的に形成されている。シャーシ２に対するトップカバー５の取り付け時には、上記折り返し爪５ｂをフロントカバー３の上板３ａの裏面側に係止してから所定位置にトップカバーをセットしたのち、図示しないねじで固定していた。
【０００４】
【発明が解決しようとする課題】
上記従来のトップカバー５の取り付け機構においては、トップカバーの折り返し爪５ｂを受けているフロントカバー３は、合成樹脂製であることから、フロントカバー３の上板３ａが、フロントカバー５の折り返し爪５ｂによって上方への力を受けることで撓んできて、トップカバー５の先端部の浮き上がり及び、これによるトップカバー先端部の波打ち等を生じる虞れがあった。又、ケーシング１内に熱を放出する電装部品が内装されている場合には、該電装部品からの輻射熱や、その他の何らかの外的要因によりフロントカバー３が変形してしまうと、これに起因してトップカバー５が変形してしまう問題があった。
【０００５】
更に、ケーシング１内の電装部品が電波を発生するものである場合、前記アース７によりシャーシ２とトップカバー５とを電気的導通させて、ケーシング１からの電波の発信を防止しているが、アース先端部７ａのばね力によって、トップカバー５の先端部には上方に押す力が作用している。トップカバー５の加工誤差や、組み込みの不備等に起因するフロントカバー３に作用する力、及び上記アース先端部７ａのばね力による力の他に、上記電装部品の輻射熱が加わると、上記の各力が大した力でなくても、合成樹脂製のフロントカバー３が変形して、トップカバー５の撓み等の変形が生じる慮れがある。
【０００６】
そこで、フロントカバーが合成樹脂製であっても、これに左右されることなくトップカバーの先端部の変形を防止するために、解決されるべき技術的課題が生じてくるのであり、本発明は該課題を解決することを目的とする。
【０００７】
【課題を解決するための手段】
本発明は、上記目的を達成するために提案されたものであり、底板の前部に該底板に直交して立設する前板を有するシャーシと、該シャーシの前部を覆うように該シャーシに固定された合成樹脂製のフロントカバーと、前記シャーシの上部を覆うように該シャーシに着脱自在に配設されたトップカバーとを備えるケーシングであって、
前記トップカバーは該トップカバーの前部に下向きの折曲部と該折曲部から更に前方へ折曲されてなる折り返し爪とを有しており、該折り返し爪を前記前板に設けられた係止部に係脱させて前記トップカバーを前記シャーシに着脱させるケーシングのトップカバーの取り付け機構において、
上記係止部は、前記前板の立設板面に開穿された係止孔であり、該係止孔への前記トップカバーの前記折り返し爪の直交係止により、前記トップカバーの取り付けと共に前記シャーシのアース取りが行なわれて成るケーシングのトップカバーの取り付け機構を提供するものである。
【０００８】
また、請求項２記載の発明は、底板の前部に該底板に直交して立設する前板を有するシャーシと、該シャーシの前部を覆うように該シャーシに固定された合成樹脂製のフロントカバーと、前記シャーシの上部を覆うように該シャーシに着脱自在に配設されたトップカバーとを備えるケーシングであって、
前記トップカバーは該トップカバーの前部に下向きの折曲部と該折曲部から更に前方へ折曲されてなる折り返し爪とを有しており、該折り返し爪を前記前板に設けられた係止部に係脱させて前記トップカバーを前記シャーシに着脱させるケーシングのトップカバーの取り付け機構において、
上記前板は前記トップカバーの折り返し爪が挿入される挿入孔を該前板の立設板面上部の係止部近傍に穿設して有し、前記係止部は前記前板の上部を前方に折曲してなる係止片であると共に、該係止片の裏面に突状の接点が設けられて成り、前記挿入孔から挿入される前記トップカバーの前記折り返し爪と前記係止片に設けられた接点との係止により、前記トップカバーの取り付けと共に前記シャーシのアース取りが行なわれることを特徴とするケーシングのトップカバーの取り付け機構を提供するものである。
更にまた、請求項１又は請求項２に記載のケーシングのトップカバーの取り付け機構を備える電子装置を提供するものである。
【００１０】
【発明の実施の形態】
以下、本発明の一実施の形態を図１乃至図５に基づいて説明する。尚、従来技術と同一の構成部分については、同一符号を付してその説明を省略する。
【００１１】
図１は、本発明の一実施の形態が適用されるケーシング１１の斜視図、図２は該ケーシング１１のシャーシ１２の全体を示す斜視図、図３はトップカバー１３の斜視図を夫々示している。図１乃至図３において、ケーシング１１はシャーシ１２と、該シャーシ１２の前部を覆うように該シャーシ１２の前部に固設されたフロントカバー３と、シャーシ１２の上部を覆うようにして該シャーシ１２に取り付けられるトップカバー１３とを備えている。
【００１２】
フロントカバー３は、図２に示すように後部側が開口した略箱形状をなしていて、前述した上板３ａの両側に左右の側板３ｂ，３ｃを一体的に有しており、又、前記上板３ａの後縁部には、トップカバー１３の後述する折曲部を引掛けるための一対のフック３ｄが一体的に設けられている。又、フロントカバー３の前面には、図１に示すように表示部１５、つまみ１６等を含む操作部１７が設けられている。
【００１３】
図２において、シャーシ１２は導電性の金属材からなっていて、底板１９及び該底板１９と一体形成された左右の側板２０，２１と、底板１９の前部近傍に立設された前板２２と、前記両側板２０，２１の後端に着脱自在に装着された後板２３等を備えている。前記左側板２０には、内向きの折曲片２０ａ，２０ｂ，２０ｃが一体形成されており、同様に他方の右側板には内向きの折曲片２１ａ，２１ｂ，２１ｃが夫々一体形成されている。
【００１４】
前記折曲片２０ａ，２０ｂ及び２１ａ，２１ｂには、鎖線で示す基板２３が固着され、該基板２３上には、複数の電装部品２５が配設されている。又、前端部側の折曲片２０ｃ，２０ｃ上には、前記フロントカバー３と一体形成された一対の受け板３ｅが夫々当接している。尚、フロントカバー３の各側板３ｂ，３ｃとシャーシ１２の各側板２０，２１間には、若干の間隙２６が夫々形成されている。前記各側板２０，２１には、トップカバー１３を固定するための一対のねじ穴２０ｄ，２１ｄが夫々設けられている。
【００１５】
図３において、トップカバー１３は導電性の金属材から成り、該トップカバー１３の上板１３ａの両側に左右の側板１３ｂ，１３ｃを一体形成で有していて、該側板１３ｂ，１３ｃの先端部には、内向きの折曲部を前方へさらに折り返してなる腕部１３ｄが夫々形成されている。この腕部１３ｄは、トップカバー１３を図４に示すようにシャーシ１２に取り付ける時に、前述した間隙２６（図２参照）内に夫々挿入される。尚、２７はトップカバーを取り付けるためのねじ穴を示している。
【００１６】
前記トップカバー１３の上板１３ａの先端には、該上板１３ａの剛性を高めるための下向きの折曲部１３ｅが形成され、更に該折曲部１３ｅから前方に向く複数（本実施の形態では３個）の折り返し爪１３ｆが夫々一体形成されている。図２、図５に示すように、シャーシ２０の前板２２には、前記トップカバー１３の折り返し爪１３ｆが係脱自在の係止孔（係止部）２２ａが、３箇所に開穿されている。
【００１７】
上述のように構成されたケーシング１１において、トップカバー１３をシャーシ１２に取り付けるには、トップカバー１３を図４に示すように傾けた状態で、折曲部１３ｅの下端をフロントカバー３のフック３ｄ、受け板３ｅ上に載置してフック３ｄで係止すると共に、トップカバー１３の後端部を下降させることにより所定位置への設置が行われ、次に、取り付け穴２７、ねじ穴２０ｄを図示しないねじで固定することにより取り付けが行われる。
【００１８】
トップカバー１３の前記取り付けが行われる時、該トップカバー１３の折り返し爪１３ｆが、図５に示すようにシャーシ１２の前板２２の係止孔２２ａに係合することで、トップカバー１３の上板１３ａの浮き上がり防止や、変形の防止が行われる。前記トップカバー１３の前部を係止する前板２２が、シャーシ１２を構成する金属材であることで、フロントカバー３のような合成樹脂材に係止する場合に較べて、より強固にフロントカバー３を保持することができる。又、フロントカバー３が、導電性部材である前板２２に直接係止していることで、従来用いられていた前板６と、トップカバー５とを導通させるためのアース７（図７参照）が不要となると共に、該アース７のばね部７ａからトップカバー１３へ作用する力も生じなくて済む利点がある。
【００１９】
前記実施の形態においては、トップカバー１３の折り返し爪１３ｆを係止する係止部としては、前板２２に開穿された係止孔２２ａである場合を説明したが、前記係止部としては、図６に示す係止片を用いることもできる。図６において、前板２２には、トップカバー１３の折り返し爪１３ｆが挿入自在な挿入口２２ｂが開穿されている。前記前板２２の上部には、前方側に折曲されている係止片（係止部）２２ｄが形成されており、該係止片２２ｃの裏面には、突状の接点２２ｄが設けられている。トップカバー１３を、前述したようにシャーシ１２にセットした時、該トップカバー１３の折り返し爪１３ｆは、係止片２２ｃの弾力を受けた状態で、前記接点２２ｄに当接する。前記折り返し爪１３ｆが、係止片２２ｃの弾力を受けた状態で、係止片２２ｃに当接することにより、トップカバー１３の係止状態、及び、シャーシ１２のアース取りを、より安定させることができる。本実施の形態においても、トップカバー１３の変形防止が確実に行われると共に、専用のアースを用いることなくシャーシ１２のアース取りを行うことができて、電装部品２５からの電波の発信による外部への影響を抑えることができる。
【００２０】
尚、本発明は、本発明の精神を逸脱しない限り種々の改変を為すことができ、そして、本発明が該改変せられたものに及ぶことは当然である。
【００２１】
【発明の効果】
本発明は、前記一実施の形態にて詳述したように、ケーシングのトップカバーの先端部に設けた折り返し爪を、金属材からなるシャーシの前板に形成した係止部に着脱自在に係止し、前記前板は、トップカバーから大きな力やケーシング内の電装部品からの輻射熱等が作用しても変形しないので、トップカバーの変形の発生を確実に防止することができる。
上記係止部は、前記前板の立設板面に開穿された係止孔であり、該係止孔への前記トップカバーの前記折り返し爪の直交係止により、前記トップカバーの取り付けと共に前記シャーシのアース取りが行なわれる構成を採用するので、専用のアースを用いることなくシャーシのアース取りを行なうことができるので、電装部品からの電波の発信による外部への影響を抑えることができる。
【００２２】
また、請求項２記載の発明は、トップカバーの折り返し爪が係脱される係止部を、前板に開穿した係止孔としたことで、前記折り返し爪の係止動作を確実に行える他に、シャーシからトップカバーへのアース取りを専用のアースを用いることなくできると共に、アース用のばねの力がトップカバーに作用することも回避できる。
更に、前板は前記トップカバーの折り返し爪が挿入される挿入孔を該前板の立設板面上部の係止部近傍に穿設して有し、前記係止部を前記前板の上部を前方に折曲してなる係止片としたことで、トップカバーの折り返し爪の係止を前記係止片の弾力を介して行なうことができて、前記折り返し爪の係止動作に自由度を持たせることができると共に、シャーシからトップカバーへのアース取りを、より確実に行わせることができる等の諸種の効果を奏するものである。
更にまた、上記係止片の裏面には突状の接点が設けられているので、上記トップカバーの折り返し爪は係止片の弾力を受けた状態で前記接点に当接することにより、トップカバーの係止状態、及び、シャーシのアース取りをより安定させることができる。
【図面の簡単な説明】
【図１】本発明の一実施の形態に係るケーシングの斜視図である。
【図２】本発明の一実施の形態に係るシャーシ部の斜視図である。
【図３】本発明の一実施の形態に係るトップカバーの斜視図である。
【図４】本発明の一実施の形態に係るトップカバーの取り付け状態を示す作用図である。
【図５】本発明の一実施の形態に係るトップカバーの折り返し爪と前板の係止孔部との縦断側面図である。
【図６】本発明の他の実施の形態に係るトップカバーの折り返し爪と背板の係止片部との縦断側面図である。
【図７】従来のケーシングにおけるトップカバーの取り付け部を示す縦断側面図である。
【符号の説明】
３        フロントカバー
１１        ケーシング
１２        シャーシ
１３        トップカバー
１３ｅ      トップカバーの下向き折曲部
１３ｆ      トップカバーの折り返し爪
１９        底板
２２        シャーシの前板
２２ａ      前板の係止孔（係止部）
２２ｂ      前板の挿通孔
２２ｃ      前板の係止片
【図１】
0004374688.tif 000002
【図２】
0004374688.tif 000003
【図３】
0004374688.tif 000004
【図４】
0004374688.tif 000005
【図５】
0004374688.tif 000006
【図６】
0004374688.tif 000007
【図７】
0004374688.tif 000008